(57)【要約】【課題】安全性が高く利便性の良い自動取引装置を提供する。【解決手段】取引希望者の虹彩を撮影して虹彩情報を得る虹彩取得部と、各種情報を表示する表示部８とを自動取引装置に設ける。前記口座情報は、少なくとも当該口座の口座名および当該口座における典型的な取引内容を含み、前記虹彩取得部で取得した虹彩情報から当該取引希望者が取引許可者であると判断された場合に、当該虹彩情報に基づいて特定される口座情報のうち、少なくとも前記口座名と前記典型的な取引内容とを前記表示部８に表示する。【選択図】    図１
2006155667.tif 000002
【特許請求の範囲】
【請求項１】
取引希望者の生体情報に対応付けられた口座情報に基づいて取引を行う自動取引装置において、
取引希望者の生体情報を取得する生体情報取得部と、
各種情報を表示する表示部とを設けるとともに、
前記口座情報は、当該口座の口座名および、取引希望者にとって使用頻度の高い取引内容を含み、
前記生体情報取得部で取得した生体情報から当該取引希望者が取引許可者であると判断された場合に、当該生体情報に基づいて特定される口座情報のうち、少なくとも前記口座名と前記典型的な取引内容とを前記表示部に表示することを特徴とする自動取引装置。
【請求項２】
取引希望者の生体情報に対応付けられた口座情報に基づいて取引を行う自動取引装置において、
取引希望者の生体情報を取得して生体情報を得る生体情報取得部と、
各種情報を表示する表示部とを設けるとともに、
前記口座情報は、当該口座を特定するための略号を含み、
前記生体情報取得部で取得した生体情報から当該取引希望者が取引許可者であると判断された場合に、前記表示部は少なくとも当該略号を表示し、
前記表示部から取引許可者が略号を入力することにより、該略号を登録することを特徴とする自動取引装置。
【請求項３】
取引希望者の生体情報に対応付けられた口座情報に基づいて取引を行う自動取引装置において、
取引希望者の生体情報を取得して生体情報を得る生体情報取得部と、
各種情報を表示する表示部とを設けるとともに、
前記口座情報は、当該口座を特定するための略号及び当該口座における取引希望者にとって使用頻度が高い取引を特定するための略号を含み、
前記生体情報取得部で取得した生体情報から当該取引希望者が取引許可者であると判断された場合に、前記表示部は少なくとも前記複数の略号を表示し、
前記表示部から取引許可者が略号を入力することにより、該略号を登録することを特徴とする自動取引装置。
【請求項４】
取引希望者の生体情報に対応付けられた口座情報に基づいて取引を行う自動取引装置において、
取引希望者の生体情報を取得して生体情報を得る生体情報取得部と、
各種情報を表示する表示部とを設けるとともに、
前記口座情報は、当該口座の口座名、取引希望者にとって使用頻度が高い取引内容を含み、
前記生体情報取得部で取得した生体情報から当該取引希望者が取引許可者であると判断された場合に、当該生体情報に基づいて特定される口座情報のうち、少なくとも前記口座名と前記典型的な取引内容とを前記表示部に表示した後、取消を選択すると、前記口座で取引できる取引内容を表示することを特徴とする自動取引装置。
【発明の詳細な説明】
【技術分野】
【０００１】
本発明は、自動取引装置で取引を行う顧客が取引を行うべき本人であるか否かの確認に、虹彩を用いる自動取引装置に関する。
【背景技術】
【０００２】
従来、金融機関等に設置される自動取引装置において、自動取引装置で取引を行う場合、その取引を行う取引希望者が、取引を行ってもよい取引許可者であるか、それとも取引を行ってはいけない取引無許可者であるか否かの判断を、取引を行おうとする取引希望者に、自動取引装置内にＩＤカ−ドあるいは通帳を挿入させ、その後、暗証番号を入力させて、入力された暗証番号と、ＩＤカ−ドあるいは通帳から得られる、カ−ド情報あるいは通帳情報とをセンタ−端末に送信し、センタ−端末において受信した暗証番号とカ−ド情報あるいは通帳情報が、センタ−端末の記憶部に蓄積されている顧客情報と一致するか否かを判断し、その判断結果（取引許可あるいは無許可）を自動取引装置に返送し、その判断結果を受信して、自動取引装置は判断を行っている。そして、取引許可者であると判断された取引希望者のみに対して取引を実行している。
【特許文献１】特開平７−１９２１６４号公報
【発明の開示】
【発明が解決しようとする課題】
【０００３】
上記従来の自動取引装置においては、取引無許可者がなんらかの方法で、ＩＤカ−ドあるいは通帳と暗証番号を入手すると、取引許可者でなくても取引可能となるので、安全性に問題があった。
【０００４】
また、ＩＤカ−ドあるいは通帳を紛失した場合に、取引のために本人を証明するための繁雑な手続きを行い、その後でなければ取引可能とならないという問題点があった。
【０００５】
更に、取引許可者がよく利用する典型的な取引であっても、取引を選択的に入力していく作業が必要であった。また、取引許可者が毎月同日に同様の取引を行うといった期日において典型的な取引の場合であっても、取引内容を最初から入力しなければならないという利便性の点で問題点があった。
【課題を解決するための手段】
【０００６】
上記課題を解決するために本発明で設けた解決手段は、取引希望者の生体情報に対応付けられた口座情報に基づいて取引を行う自動取引装置において、取引希望者の生体情報を取得する生体情報取得部と、各種情報を表示する表示部とを設けるとともに、前記口座情報は、当該口座の口座名および、取引希望者にとって使用頻度の高い取引内容を含み、前記生体情報取得部で取得した生体情報から当該取引希望者が取引許可者であると判断された場合に、当該生体情報に基づいて特定される口座情報のうち、少なくとも前記口座名と前記典型的な取引内容とを前記表示部に表示することを特徴とするものである。
【発明の効果】
【０００７】
本発明は、以上説明したように構成されているので以下に記載される効果を奏する。取引希望者の虹彩を撮影して虹彩情報を得る虹彩取得部と、各種情報を表示する表示部とを設けるとともに、前記口座情報は、少なくとも当該口座の口座名および当該口座における典型的な取引内容を含み、前記虹彩取得部で取得した虹彩情報から当該取引希望者が取引許可者であると判断された場合に、当該虹彩情報に基づいて特定される口座情報のうち、少なくとも前記口座名と前記典型的な取引内容とを前記表示部に表示することにより、取引希望者は、自動取引装置の前に立つだけで、取引可能口座名と典型的な取引内容とを示され、それに基づいて取引を行うことができる。取引希望者は、ＩＤカ−ド及び通帳を携帯する必要がなく、また、暗証番号の入力を必要としないので、暗証番号を間違えたり、忘れたりすることにより発生する取引不可能状態が発生しない。更に、取引可能口座及び典型的な取引内容が表示部に表示され、その中から取引を行いたい口座及び典型的な取引内容を選択すれば良いので、利便性が向上する。
【発明を実施するための最良の形態】
【０００８】
以下に本発明を実施するための最良の形態である第１〜３の実施の形態を説明する。各図面に共通な要素には同一の符号を付す。
【実施例１】
【０００９】
図２は第１の実施の形態における自動取引装置の制御系を示すブロック図、図３は第１の実施の形態における自動取引装置を示す斜視図である。
【００１０】
まず、識別機能を備えた自動取引装置２の構造について説明する。図２、図３において、自動取引装置２には、カ−ド処理部３、通帳処理部４、明細票処理部５、紙幣入出金部６、硬貨入出金部７、表示部８、音声案内部９、映像撮影部１０が内蔵されており、これらは全て主制御部１１により制御されている。
【００１１】
カ−ド処理部３は、金融機関が発行し、金融機関毎のコ−ドや取引許可者の口座番号、氏名等の顧客情報が記憶された取引許可者識別カ−ド（以下ＩＤカ−ドとする）に記憶されている前記情報を読み出す機能を有しており、このカ−ド処理部３の前面側に接続されたカ−ド挿入返却口３ａからＩＤカ−ドが挿入されたり返却されたりする。通帳処理部４は、通帳挿入返却口４ａから挿入される通帳に印字処理などを行うもので、更に図示せぬ機構により記憶情報の読取りや更新を行う手段、更に印字頁行の検出手段及び改頁手段等を有している。
【００１２】
明細票処理部５は取引明細の印字を行い、取引許可者に発行される取引明細票の発行処理を行う。紙幣入出金部６は取引許可者により入金される紙幣を真偽鑑別、計数し、搬送して図示せぬ金種別保管金庫に収納し、又は取引許可者に支払われる紙幣を金種別保管金庫より繰出すものである。硬貨入出金部７は取引許可者により入金される硬貨を真偽鑑別、計数し、搬送して図示せぬ金種別保管金庫に収納し、又は取引許可者に支払われる硬貨を金種別保管金庫より繰出すものである。
【００１３】
上記紙幣入出金部６には取引許可者が紙幣を投入、又は取引許可者に紙幣を支払うための接客口６ａが結合されている。また硬貨入出金部７には取引許可者が硬貨を投入、又は取引許可者に硬貨を支払うための接客口７ａが結合されている。なお、接客口６ａ、７ａは図示せぬ駆動手段によりそれぞれシャッタが動作して紙幣及び硬貨の挿脱を規制している。
【００１４】
タッチパネルで構成されている表示部８は、取引希望者による取引入力するための顧客誘導表示を行ったり、取引希望者による操作入力が行われる。この表示部８は例えば、取引開始時には、取引科目である「ご入金」、「お引出し」、「お振り込み」等を表示し、その表示部に軽く触れる（押下）ことで取引が選択されるようになっている。音声案内部９は音声による操作案内を行うものであり、この音声案内部９は、音声合成部９ａを内蔵しており、音声合成部９ａは、装置正面に設置され、取引許可者への指示及びお知らせを音声として出力するスピ−カ９ｂに接続されている。そして音声合成部９ａは、取引許可者への指示及びお知らせを音声として合成し、スピ−カ９ｂに出力する。
【００１５】
虹彩取得部としての映像撮影部１０は、画像処理部１２と、カメラ制御部１３と、カメラ１４と、カメラ１４に内蔵されたレンズ１５とから構成される。画像処理部１２は主制御部１１と接続され、カメラ制御部１３から送信されてきた画像の処理を行い、処理後の画像デ−タを主制御部１１に送信する。また、虹彩を撮影し、取得した際には、取得した虹彩に関するデ−タを虹彩情報として主制御部１１に送信する。
【００１６】
画像処理部１２に接続されたカメラ制御部１３は、カメラ１４のアングルを変える等のカメラ１４の制御を行うと共に、画像処理部１２にカメラ１４により撮られた画像を送信する。カメラ１４は、取引希望者の人体、特に顔や目等固有デ−タを撮像するためのものであり、レンズ１５はズ−ム機能を備えている。
【００１７】
主制御部１１にはまた、記憶部１６とインタ−フェ−ス部１７と接近検知器１８と電源部１９とが接続されている。記憶部１６は各種の制御を行うためのプログラムが記憶されたＲＡＭやＲＯＭまたはフレキシブルディスク等から構成されている。インタ−フェ−ス部１７は上位装置であるセンタ−端末２０と通信回線により接続されている。接近検知器１８は装置正面に設置され、取引希望者が自動取引装置２に近付いてきたことを検知する。電源部１９は、以上の各部に電力を供給するものである。なお、上記センタ−端末２０は、取引許可者毎の口座番号や預貯金残高情報等の口座情報を後述する虹彩情報毎に記憶している記憶部２１を有している。
【００１８】
ここで、虹彩（虹彩）を用いた技術について説明する。虹彩を用いた本人確認技術を開示したものとして例えば特公平５−８４１６６号公報に記載された「虹彩認識システム」、実開平３−１０１９１１号公報に記載された「個人識別装置」があげられる。
【００１９】
ここで虹彩について簡単に説明すると、人間の眼球の表面層のパタ−ン、特に虹彩は、水晶体を中心に放射状の黒い筋や外周の輪郭などのパタ−ンで形成され、このパタ−ンは幼年期に完成されるものであり、個人毎にまた同一人であっても右目と左目とで異なっている。よって、この虹彩を使用すると本人確認能力が特に優れることとなる。
【００２０】
虹彩は眼球の表面に見えるため、虹彩に照明を当て、明るくし、カメラを用いて遠方から虹彩を捕らえることが可能であり、網膜を用いた本人確認と比べて読取り部を覗き込む必要がなくわずらわしさがないという特徴を備えている。
【００２１】
カメラを用いて虹彩を遠方から捕らえる手段としては、カメラに写された画像の中から「人体」を識別し、その識別した「人体」から「顔」を抽出して、続けて「目」の位置を特定する。そしてその「目」の虹彩を捕らえ、虹彩情報のみを取り込み、予め登録してある本人の虹彩情報と照合することにより本人確認を行うようになっている。
【００２２】
そして、取引許可者が取引を行う前に、予め取引許可者の虹彩を撮影して、その虹彩の映像から抽出される特徴パタ−ンを虹彩情報としてセンタ−端末２０の記憶部２１に登録しておく。なお、虹彩情報がセンタ−端末２０に送信されてくると、その虹彩情報と一致する口座に関する情報を口座情報として呼び出すことができるように、口座開設時に、口座の所有者の虹彩情報を口座情報と対応させて記憶しておく。同一の口座（ＩＤカ−ド、通帳）の利用者が複数居る場合には、それぞれの虹彩情報を登録することになる。
【００２３】
なお、ここでは記憶部２１に虹彩情報の登録を行う方法で説明するが、ＩＣカ−ド、ＡＴＭファイル、ＩＤカ−ドの磁気ストライプや通帳の磁気ストライプ等のロ−カルな蓄積方法でもよい。
【００２４】
次に上記構成における虹彩情報を利用した取引動作について、図４に示すフロ−チャ−トに従って説明する。図４は第１の実施の形態における取引処理手順を示すフロ−チャ−ト、図１、図５、図６は第１の実施の形態における表示部を示す説明図である。
【００２５】
ステップＳ１で接近検知器１８が何か対象を捕らえたか常に判断しており、取引希望者を検知したらなばステップＳ２に進む。ステップＳ２で映像撮影部１０は、カメラ１４で画像の取得を開始し、その映像から取引希望者の虹彩を抽出し、虹彩情報を得る。
【００２６】
次に主制御部１１は、取引希望者が予め登録された取引許可者であるか否かの判断処理のためのセンタ−端末２０への問い合わせ処理を行う。
【００２７】
ステップＳ３で主制御部１１は、虹彩情報をインタ−フェ−ス部１７から通信回線を介してセンタ−端末２０に送信する。ステップＳ４でセンタ−端末２０は、虹彩情報を受信する。ステップＳ５でセンタ−端末２０は、虹彩情報を受信すると、その虹彩情報と一致する虹彩情報を記憶部２１の中から探す。
【００２８】
ステップＳ６で、一致する虹彩情報が見つかったか否か判断し、見つかったならばステップＳ７に進み、「否」ならば、ステップＳ８に進む。ステップＳ６からステップＳ７に進んだ場合、ステップＳ７でセンタ−端末２０は、取引希望者は取引許可者であると判断し、一致した虹彩情報に対応する口座情報を通信回線を介してインタ−フェ−ス部１７から主制御部１１に送信する。一方、ステップＳ６からステップＳ８に進んだ場合、ステップＳ８でセンタ−端末２０は、取引希望者は取引無許可者であると判断し、取引不可能情報を通信回線を介してインタ−フェ−ス部１７から主制御部１１に送信する。ここでセンタ−端末２０側の処理は終了となる。
【００２９】
ステップＳ９で主制御部１１は、センタ−端末２０からの情報を受信する。ステップＳ１０で主制御部１１は、受信した情報が口座情報か否か判断し、口座情報であったならばステップＳ１１に進み、「否」ならば、ステップＳ１３に進む。
【００３０】
ステップＳ１１で主制御部１１は、受信した結果（口座情報）のうち所定の口座情報（「口座名」、「口座番号」）を図５に示すように表示部８に表示する。ステップＳ１２で、主制御部１１はこの表示を見た取引許可者の入力に応じて所定の取引処理を行う。
【００３１】
一方、ステップＳ１０からステップＳ１３に進んだ場合、ステップＳ１３で、主制御部１１は取引処理を継続せず、そこで取引は中止となる。
【００３２】
なお、上記ステップＳ１１において、取引許可者が例えば「１．総合口座」を選択した場合、図６に示すように、その口座で取引を行うことのできる取引内容が表示される。そして、取引許可者はその取引内容の中から取引を行いたい取引内容を選択し、その後、従来と同様に処理を続行する。
【００３３】
また、上記第１の実施の形態において、表示部８に図５に示すような口座情報を表示するだけではなく、図１に示すように、取引許可者の典型的な取引内容（取引許可者にとって使用頻度が高い取引。例えば過去数回の取引、あるいは毎月同日に行われる取引）を合わせて表示してもよい。
【００３４】
なお、取引許可者の典型的な取引内容を表示する場合には、まず、記憶部２１に典型的な取引内容を口座と共に記憶しておく必要がある。そして、上記ステップＳ６で口座情報を主制御部１１に送信する時に、取引履歴情報として取引許可者の典型的な取引内容を一緒に送信する。また、取引許可者の典型的な取引内容としては、「出金」、「振込」に関する取引のみ送信する。「入金」等の取引を行う場合には、「取消」を選択することにより、図６に示す画面へと移行するので、そこで従来と同様の取引処理を行う。
【００３５】
図１に示す画面では、取引許可者の典型的な取引内容として、毎月同日に行われる取引が表示されている。ここで取引許可者が「１．総合口座、ａ払出」を選択した場合、これは「振込」であるので、取引許可者は「振込を行う銀行名」、「口座名」といった振込情報を自動取引装置２に入力しなくても、すぐに振込取引処理を行うことが可能となる。
【００３６】
また、図１において、「１．総合口座」の典型的な取引内容しか表示されていないが、矢印のカ−ソルボタン２３ａ、２３ｂを操作することにより、「２．総合口座」の典型的な取引内容を表示させることができる。
【００３７】
また、先月に行われた取引項目を表示させ、それと同じ取引を行う時に、入力事項を少なくしたい場合には、「先月」のカ−ソルボタン２３ｃを操作して、先月の取引項目を表示させることも可能である。
【００３８】
以上第１の実施の形態においては、取引希望者が取引許可者であるか否かの判断時に、虹彩情報の照合で行うので、取引許可者であるか否かの判断を高精度に行うことができる。取引無許可者がＩＤカ−ドや通帳と暗証番号を入手し、取引許可者に成り済まし、取引を行おうとしても、虹彩情報を偽造したり、入手することは不可能である。
【００３９】
また、虹彩情報は、サイン（署名）、指紋（押印）、声紋（発声）等の識別方法とは異なり、取引希望者が特別な動作を行わずに、取り込むことが可能である。
【００４０】
更に、取引希望者は、自動取引装置２の前に立つだけで、取引可能な口座を示され、その中から取引を行いたい口座を指定する。それ以降は従来の取引と同様の処理が可能である。
【００４１】
取引許可者はＩＤカ−ド及び通帳を携帯する必要がなく、また暗証番号を間違えたり、忘れたりすることもない。
【００４２】
また、典型的な取引内容を口座名と共に表示することにより、操作者は入力する回数が少なくなり、操作が簡単になり、利便性が向上する。
【実施例２】
【００４３】
次に本発明の第２の実施の形態について図面を参照しながら説明する。なお、上記第１の実施の形態と同様な部分には同一符号を付してその説明は省略する。この実施の形態において、上記第１の実施の形態と異なる点は、口座名に対して、また取引内容に対して略号で表示部８に表示することが可能な点である。
【００４４】
詳しくは、まず、口座名に対して略号を付ける場合について説明する。口座開設時に、口座の所有者の虹彩情報を口座と対応させて登録しておくと共に、その口座に対して複数の利用者が居る場合には、それぞれの虹彩情報を登録する。また、その時、銀行窓口で口座名に対して「給与振込口座」、「貯蓄預金口座」等の略号を登録する。そして、登録された略号での口座名は、その口座の所有者の虹彩情報と対応させて記憶部に登録される。
【００４５】
次に、取引内容について略号登録する場合について説明する。上記口座名に対して略号登録する場合と同様に、口座開設時に、まず、どのような取引を行うのかを登録する。例えば、「給与振込口座」から「家賃としてある銀行のある口座に５００００円振込む」のであれば、その取引を「給与振込口座」に「家賃」取引として登録しておく。すると、略号登録された取引内容が、虹彩情報及び「給与振込口座」と共に、記憶部に登録される。そして、取引許可者が自動取引装置２の前に立つと、略号登録された口座名と共に取引内容が略号として表示部８に表示される。そして、略号登録された「家賃」が選択されると、「給与振込口座からある銀行のある口座に５００００円振り込む」ことが表示部８に表示されることになる。なお、取引内容の略号登録することが可能なものは、「出金」と「振込」である。
【００４６】
また、例えば、「出金小遣い」の場合、「５０００円出金」と登録しておけば、取引許可者が出金したい金額を入力しなくても、「小遣い」として出金される金額が表示部８に表示されることになる。
【００４７】
上記第１の実施の形態と同様に、同一の口座の利用者が複数居る場合には、それぞれの虹彩情報を登録することになるが、それぞれの利用者毎に１つの口座を分割して取引内容の略号登録を行うことができる。
【００４８】
例えば、同一の口座を家族３人（取引許可者１、取引許可者２、取引許可者３）で利用する場合、口座名の略号を「給与振込口座」、「貯蓄預金口座」として登録し、「給与振込口座」の取引内容の略号として取引許可者１が「家賃」、「車代」、「出金給与」を登録し、取引許可者２が「水道代」、「電気代」を登録する。また、取引許可者３が「出金小遣い」を登録するというように、取引許可者毎に、それぞれ略号登録することにより、その人のみが行う取引内容を表示部８に表示させることができる。
【００４９】
そして、取引許可者１の虹彩情報がセンタ−端末に送信されてくると、取引履歴情報として、取引許可者１、取引許可者２、取引許可者３が登録した略号全てを主制御部に送信するのではなく、取引許可者１が登録した略号のみを送信する。
【００５０】
次に上記構成における虹彩情報を利用した取引動作について図７、図８、図９、図１０に示すフロ−チャ−トに従って説明する。ここでは、上記「給与振込口座」を所有する取引許可者１が「給与振込口座」からまだ略号登録されていない取引内容「習い事」の振込を行う場合について説明する。図７、図８、図９、図１０は第２の実施の形態における取引処理手順を示すフロ−チャ−トである。図１１、図１２、図１３は第２の実施の形態における表示部を示す説明図である。
【００５１】
なお、ステップＳ２１からステップＳ２５までは上記第１の実施の形態におけるステップ１からステップＳ５までと同様であるので説明は省略する。
【００５２】
ステップＳ２６で、センタ−端末は、一致する虹彩情報が見つかったか否か判断し、見つかったならばステップＳ２７に進み、「否」ならば、取引希望者は取引無許可者であると判断しステップＳ２８に進む。
【００５３】
ステップＳ２６からステップＳ２７に進んだ場合、ステップＳ２７でセンタ−端末２０は、取引希望者は取引許可者であると判断し、予め登録されている虹彩情報に対応する登録された口座名の略号と、その虹彩情報に対応して登録された取引内容（取引履歴情報）の略号と、取引内容を含む口座情報を通信回線を介してインタ−フェ−ス部１７から主制御部に送信する。一方、ステップＳ２６からステップＳ２８に進んだ場合、ステップＳ２８でセンタ−端末２０は、取引希望者は取引無許可者であると判断し、取引不可能情報を通信回線を介してインタ−フェ−ス部１７から主制御部１１に送信する。そして、センタ−端末２０側の処理は終了となる。
【００５４】
ステップＳ２９で主制御部１１は、センタ−端末２０からの情報を受信する。ステップＳ３０で主制御部１１は、受信した情報が口座情報か否か判断し、口座情報であったならばステップＳ３１に進み、「否」ならば、そこで自動取引装置２側の処理は終了となる。
【００５５】
ステップＳ３１で主制御部は、図１１に示す受信した結果（口座名の略号、取引内容の略号）を表示部８に表示し、また、取引許可者１に取引項目を選択することを表示する。なお、本実施の形態においては、略号として「家賃」、「車代」、「出金給与」が表示されることになる。
【００５６】
ステップＳ３２で、主制御部は、略号が選択されたか否か判断し、略号が選択されたならばステップＳ４４に進み、「否」ならばステップＳ３３に進む。この場合、「否」となるのでステップＳ３３に進む。ステップＳ３３で、主制御部は、選択された番号が口座に付けられた番号であるか否か判断し、口座に付けられた番号（この場合「１」）が選択されたならばステップＳ３４に進み、「否」ならばステップＳ５０に進む。
【００５７】
この場合、口座に付けられた番号が選択されることになるので、ステップＳ３４に進む。
【００５８】
ステップＳ３４で、主制御部は図５に示す取引選択画面を表示する。ステップＳ３５で主制御部は、入力された事項に基づき、取引処理を行う。この場合、取引許可者１が自分で振込を行いたい「振込先の銀行名」、「口座名」、「金額」の入力を行い、入力された事項に基づき、取引処理が行われる。
【００５９】
ステップＳ３６で、主制御部は、その取引が「振込」あるいは「出金」であるか否か判断し、どちらかであればステップＳ３７に進み、「否」ならばそこで処理は終了となる。
【００６０】
ステップＳ３６からステップＳ３７に進んだ場合、ステップＳ３７で主制御部は表示部８に「略号登録を希望するか否か」を表示する。ここで、希望したならばステップＳ３８に進み、「否」ならばそこで処理は終了となる。ステップＳ３７からステップＳ３８に進んだ場合、ステップＳ３８で主制御部は、図１２に示す典型的な取引内容の略号例を表示し、希望する略号があれば、取引許可者１に選択してもらう。
【００６１】
ステップＳ３９で、主制御部は、典型的な取引内容の略号例から選択された略号があったならばステップＳ４０に進み、「否」ならば、ステップＳ４１に進む。この場合、「否」なのでステップＳ４１に進む。
【００６２】
ステップＳ３９からステップＳ４１に進んだ場合、ステップＳ４１で主制御部は、第１の略号登録処理を行う。そのために、図１３に示す５０音を表示部８に表示し、取引許可者１に、行った取引に対して略号を付けてもらう。ここで、入力された略号（「習い事」）は、ステップＳ３５で入力された「振込先の銀行名」、「口座名」、「金額」に対して付けられたものとして「振込先の銀行名」、「口座名」、「金額」と共にセンタ−端末に送信される。送信が終了すると、自動取引装置側の処理は終了となる。ステップＳ４２でセンタ−端末は、受信した略号（「振込先の銀行名」、「口座名」、「金額」の情報を備えている）を、取引許可者１の他の取引内容に対する略号と共に、記憶部に登録する。そして、センタ−端末側の処理は終了となる。
【００６３】
一方、ステップＳ３９からステップＳ４０に進んだ場合、ステップＳ４０で主制御部は、第２の略号登録処理を行う。そのために、選択された略号を、ステップＳ３５で入力された「振り込み先の銀行名」、「口座名」、「金額」に対して付けられたものとして「振り込み先の銀行名」、「口座名」、「金額」と共にセンタ−端末に送信する。送信が終了すると、自動取引装置側の処理は終了となる。ステップＳ４２でセンタ−端末は、略号（「振込先の銀行名」、「口座名」、「金額」の情報を備えている）を受信する。ステップＳ４３でセンタ−端末は、受信した略号（「振込先の銀行名」、「口座名」、「金額」の情報を備えている）を、取引許可者１の他の取引内容に対する略号と共に、記憶部に登録する。そして、センタ−端末側の処理は終了となる。
【００６４】
一方、ステップＳ３２からステップＳ４４に進んだ場合、ステップＳ４４で、主制御部は選択された取引希望項目の詳細を表示部８に表示する。例えば、「振込」の場合は「振込先の銀行名」、「口座名」、「金額」を表示し、「出金」の場合は「出金金額」を表示する。ステップＳ４５で主制御部は確認キ−が押下されたか否かを判断し、確認キ−が押下されたならば、ステップＳ４６に進み、「否」ならばステップＳ４７に進む。ステップＳ４５からステップＳ４６に進んだ場合、ステップＳ４６で主制御部は、ステップＳ４４に表示された内容で、取引処理を行う。そして、処理を終了とする。ステップＳ４５からステップＳ４７に進んだ場合、ステップＳ４７で主制御部は、表示された表示内容に対しての修正を行うことのできる画面を表示部８に表示し、取引許可者１に修正を行ってもらい、入力された内容に応じて修正を行う。
【００６５】
そして、修正された内容で、ステップＳ４６に進み、取引処理を行う。またステップＳ４７で修正された内容は、センタ−端末へ送信される。ステップＳ４８でセンタ−端末は、修正内容を受信し、ステップＳ４９でセンタ−端末は、記憶部に登録されている内容の修正を行なう。そして、センタ−端末側の処理は終了となる。
【００６６】
また、ステップＳ３３からステップＳ５０に進んだ場合、ステップＳ５０で、主制御部は、選択されたものが他行（他の金融機関）につけられた番号であるか否か判断し、他行に付けられた番号（この場合「２」）が選択されたならばステップＳ５１に進み、「否」ならばステップＳ６０に進む。ステップＳ５０からステップＳ５１に進んだ場合、ステップＳ５１で主制御部は、表示部８に銀行名の入力を行うことを表示する。ステップＳ５２で主制御部は、センタ−端末に、入力された銀行との取引があるか否かの問い合わせを行う。ステップＳ５３でセンタ−端末は、他行との取引があるいは否かの問い合わせを受信する。ステップＳ５４で取引がある場合には、ステップＳ５５に進み、「否」の場合は、ステップＳ５６に進む。ステップＳ５４からステップＳ５５に進んだ場合、ステップＳ５５でセンタ−端末は、他行との取引を行うことができることを示す情報を主制御部に送信し、「否」の場合は、取引不可能であることを示す情報を主制御部に送信する。
【００６７】
ステップＳ５７で主制御部は、センタ−端末から問い合わせ結果を受信する。ステップＳ５８で主制御部は、取引可能であることを示す情報を受信したか否か判断し、受信した場合には、ステップＳ５９に進み、「否」の場合は、ステップＳ６０に進む。ステップＳ５８からステップＳ５９に進んだ場合、ステップＳ５９で、主制御部は、他行との取引処理を継続し、終了すると、取引処理は終了となる。
【００６８】
一方、ステップＳ３０からステップＳ６０に進んだ場合、ステップＳ５０からステップＳ６０に進んだ場合及びステップＳ５８からステップＳ６０に進んだ場合、ステップＳ６０で、主制御部は取引処理を継続せず、そこで取引は中止となる。
【００６９】
以上第２の実施の形態においては、上記第１の実施の形態の効果を奏すると共に、口座に対して略号を付けることが可能となるので、複数の口座を所有する取引許可者は、すぐに、自分の取引を行う口座を見つけることが可能となり、利便性が向上する。
【００７０】
また、振込の場合、略号を選択すれば、振込先の銀行名等が表示部８に表示され、また、出金の場合は、略号を選択すれば、その出金で引き出される金額が表示部８に表示されるので、取引許可者の入力が少なくて済む。
【００７１】
また、取引内容を略号登録しておくことにし、略号で表示部８に取引内容を表示するので、取引許可者が取引を行う時に、すぐに自分が取引を行いたい取引内容を見つけることができる。その結果、利便性が向上する。
【００７２】
また、虹彩情報に基づき、取引許可者に必要な取引内容の略号のみを呼び出し、表示部８に表示するので、１つの口座に複数の取引許可者が居る場合、自分に必要な取引内容の略号が表示部８に表示されることになるので、取引許可者は、表示部８を見る時に見やすくなる。
【００７３】
なお、略号登録されていない取引を行う場合には、従来通りの操作で実現される。
【実施例３】
【００７４】
次に本発明の第３の実施の形態について図面を参照しながら説明する。なお、上記第１の実施の形態及び第２の実施の形態と同様な部分には同一符号を付してその説明は省略する。
【００７５】
図１４は第３の実施の形態におけるユ−ザ−辞書を示す説明図、図１５は第３の実施の形態における自動取引装置の制御系を示すブロック図、図１６は第３の実施の形態における自動取引装置を示す斜視図、図１７は第３の実施の形態における表示部を示す説明図である。
【００７６】
この実施の形態において、上記第１の実施の形態及び第２の実施の形態と異なる点は、表示部８に表示された略号から取引を行おうとする略号を選択する時に、音声で選択することが可能な点である。その他は全て上記第２の実施の形態とと同様とする。すなわち、同一の口座を家族３人（取引許可者１、取引許可者２、取引許可者３）で利用し、口座の略号は「給与振込口座」、「貯蓄預金口座」として登録し、「給与振込口座」の取引内容の略号として取引許可者１が「家賃」、「車代」、「出金給与」を登録し、取引許可者２が「水道代」、「電気代」を登録する。また、取引許可者３が「出金小遣い」を登録する。
【００７７】
そして、上記第２の実施の形態において、取引内容を略号登録した時に、略号登録された取引内容に対して音声情報を作成し、音声辞書登録するものであり、この音声辞書登録を虹彩情報を登録した取引許可者毎に設けるものである。
【００７８】
例えば、取引許可者１が「家賃」を略号登録することが決定されると、図１４に示すように、標準辞書で作成された音声情報の「ヤチン」が、取引許可者１の虹彩情報と共に記憶部２８の音声辞書であるユ−ザ−辞書２５に登録される。
【００７９】
そして、取引許可者が表示部８に表示される略号を見て、その中から希望する取引内容を選択する場合（例えば「家賃」）、「ヤチン」と発声すれば、その音声情報を自動取引装置２からセンタ−端末２７に送信し、センタ−端末２７で取引許可者が何を言ったのか認識する。
【００８０】
なお、そのために、図１５に示すように、自動取引装置２には、集音部２４が設けられている。この集音部２４は音声処理部２４ａを内蔵しており、音声処理部２４ａは、図１６に示すように、装置正面に設置され、取引許可者の発した音声を集めるマイクロフォン２４ｂに接続されている。そして、音声処理部２４ａは、マイクロフォン２４ｂで集められた音声を処理し、音声情報として主制御部２６に送信する。すると、主制御部２６が該音声情報をセンタ−端末２７に送信する。
【００８１】
また、記憶部２８には、上記のようにユ−ザ−辞書２５が取引許可者毎に設けられており、ユ−ザ−辞書２５には、虹彩情報と共に、登録された略号が全て、どのような音声情報をしているのかが登録されている。
【００８２】
そして、センタ−端末２７は、取引許可者から発せられた音声情報が送信されてくる毎に、それ以前に登録されていた同じ略号を示す音声情報を消去して、新たに送信されてきた音声情報を登録し直す。
【００８３】
すなわち、既に音声情報として「ヤチン」が登録されていた場合、取引許可者が「ヤチン」と発声し、その言葉が「ヤチン」であったと認識できた場合には、その取引許可者のユ−ザ−辞書２５の「ヤチン」の音声情報を新しい「ヤチン」の音声情報で登録し直す。このように、センタ−端末２７に学習機能を持たせる。それにより、より認識精度を高めることができる。
【００８４】
なお、取引許可者が自動取引装置２から音声で入力できるのは、予め音声情報が登録されている略号のみである。すなわち、音声で自動取引装置２から、選択された略号を入力するためには、音声情報として略号を認識することができる機能をセンタ−端末２７が持っている必要がある。それ故、予め、略号を音声情報として認識することのできる機能をセンタ−端末２７に持たせておく必要がある。従って、まずは、略語の音声情報をセンタ−端末２７に登録する必要がある。
【００８５】
また、取引許可者により口座開設時に登録された略号のみではなく、図１７に示す典型的な略号「仕送り」、「駐車場代」等も、音声情報として送信されてきた時に、認識することができる機能をセンタ−端末２７に持たせておく。
【００８６】
次に上記構成における虹彩情報を利用した取引動作について図１８、図１９、図２０、図２１に示すフロ−チャ−トに従って説明する。図１８、図１９、図２０、図２１は第３の実施の形態における取引処理手順を示すフロ−チャ−ト、図２２は第３の実施の形態における表示部を示す説明図である。なお、音声で略号を選択することができること以外は上記第２の実施の形態における取引処理と全て同様であるので、上記第２の実施の形態と異なるステップのみ説明する。ここで、異なるステップはステップＳ７１、ステップＳ７２、ステップＳ７８、ステップＳ７９、ステップＳ８０、ステップＳ８１、ステップＳ８２、ステップＳ８３、ステップＳ８４、ステップＳ８５、ステップＳ８６、ステップＳ８７であり、取引許可者が音声で自動取引装置２に入力することのできるステップはステップＳ７２、ステップＳ７９である。
【００８７】
ステップＳ７１で主制御部２６は、センタ−端末２７から受信した図２２に示す結果（口座名の略号、取引内容の略号）を表示部８に表示し、また、取引許可者に略号を音声入力することを表示する。
【００８８】
ステップＳ７２で、主制御部２６は、略号が音声入力されたか否か判断し、略号が音声入力されたならばステップＳ８２に進み、「否」ならばステップＳ７３に進む。ステップＳ７２からステップＳ８２に進んだ場合、ステップＳ８２で、取引許可者が発した略号は、マイクロフォン２４ｂで集められ、音声情報として集音部２４から主制御部２６に送信される。すると、主制御部２６は該音声情報を虹彩情報と共にセンタ−端末２７に送信する。
【００８９】
図１８に示すステップＳ８３でセンタ−端末２７は、送信されてきた音声情報が、図２２に示す虹彩情報に基づく口座名の略号と取引内容の略号とが表示部８に表示されている状態（ステップＳ７１）での音声情報か否か判断し、図２２に示す虹彩情報に基づく口座名の略号と取引内容の略号とが表示部８に表示されている状態での音声情報であった場合はステップＳ８４に進み、「否」ならばステップＳ８５に進む。この場合、「否」ではないとすると、ステップＳ８４に進む。ステップＳ８４でセンタ−端末２７は、送信されてきた虹彩情報と一致するユ−ザ−辞書２５を参照し、送信されてきた音声情報と一致する音声情報から、略号を調べ、自動取引装置２に入力された略号は何であったのか送信する。ステップＳ８６で主制御部２６は、センタ−端末２７から情報を受信する。ステップＳ８７で主制御部２６は、受信した情報から略号の詳細を表示部８に表示する。
【００９０】
また、ステップＳ７８で主制御部２６は、図１７に示す典型的な取引内容の略号例を表示し、希望する略号があれば、取引許可者に選択してもらい、その入力を音声で行ってもらう。ステップＳ７９で、主制御部２６は、典型的な取引内容の略語例が音声入力されたか否か判断し、略号が音声入力されたならばステップＳ８０に進み、「否」ならばステップＳ８１に進む。
【００９１】
また、ステップＳ８０で主制御部２６は、第２の略号登録処理を行う。そのために、ステップＳ７５で入力された「振込先の銀行名」、「口座名」、「金額」と共に、その略号の音声情報をセンタ−端末２７に送信する。ステップＳ８３でセンタ−端末２７は、送信されてきた音声情報は、図２２に示す虹彩情報に基づく口座名の略号と取引内容の略号とが表示部８に表示されている状態での音声情報か否か判断し、この場合、図１７に示す画面が表示部８に表示されており、「否」であるとすると、ステップＳ８５に進む。ステップＳ８５でセンタ−端末２７は、送信されてきた音声情報から、どの略号が選択されたのか分かるので、その略号を、取引許可者の他の取引内容に対する略号と共に、記憶部２８に登録する。また、略号を示す音声情報もまた、ユ−ザ−辞書２５に登録する。
【００９２】
ステップＳ８１で主制御部２６は、第１の略号登録処理を行う。この時、取引許可者が表示部８に表示された図１３に示す５０音を押下することにより、略号が自動取引装置２に入力される。この入力された略号は、まだ記憶部２８のユ−ザ−辞書２５に登録されていないので、取引許可者が略号を音声入力した場合、センタ−端末２７は、自動取引装置２から送信されてきた音声情報を認識することが不可能であるので、音声入力は行わない。
【００９３】
上記ステップＳ７２あるいはステップＳ７９において、取引許可者が音声で入力を行った場合、取得された音声情報は、虹彩情報によりどのユ−ザ−辞書２５を参照すればいいのか分かるので、認識率が向上する。
【００９４】
虹彩情報を使用せずに、ＩＤカ−ドで取引を行い、ＩＤカ−ドを自動取引装置２に挿入することにより口座を呼び出す場合、ＩＤカ−ドは口座に対して１つ設けられているので、３人が１つの口座を利用していれば、ＩＤカ−ドの情報から参照されるユ−ザ−辞書は３人分となるので、３つのユ−ザ−辞書２５間で似た略号を登録した場合、例えば、取引許可者１が発した略号を、取引許可者２に登録された音声情報と一致すると判断してしまう場合がある。
【００９５】
しかし、虹彩情報は取引許可者１人ずつ所有しているものなので、装置側は、虹彩情報から、装置に入ってきている音声は、どのユ−ザ−辞書を所有する取引許可者の音声であるのかを認識することができる。それ故、取引許可者の話した略号の認識率が向上する。
【００９６】
また、自動取引装置２が複数隣接して設置されている場合、他の自動取引装置２を利用している取引許可者や後ろで並んで待っている取引希望者の前で、取引内容について音声で入力することは、利便性は向上するが、プライバシ−や安全性の点で好ましくない。そこで、音声合成部９ａに、音発生手段としての機能を設け、取引許可者が取引を行っている間は、音声合成部９ａで作成された何らかの音をスピ−カ９ｂから出して、周囲の取引許可者や取引希望者には、取引許可者の話している略号等が聞こえないようにする機能を持たせる。
【００９７】
集音部２４は、自動取引装置２自身で発生させている音については、音声情報作成時には、認識すべき音ではないということを分かっているので、ノイズとして処理をすることが可能である。
【００９８】
上記第３の実施の形態においては、取引許可者は、入力作業を行わなくても、表示部８を見て、選択したい略号があった場合には、その略号を自動取引装置２に向かって話せばいいので、表示部８からの入力の手間が省け、利便性が向上する。
【００９９】
また、取引許可者が音声で略号の選択を行う時に参照されるユ−ザ−辞書２５は、１つの口座に複数の取引許可者が居る場合であっても、取引許可者１人毎に設けられ、虹彩情報によりどのユ−ザ−辞書２５を参照すればいいのかが分かるので、略号の認識精度が高い。
【０１００】
また、センタ−端末２７に学習機能を設けることにより、更に認識精度が高くなる。
【０１０１】
更に、取引許可者が自動取引装置２に向かって略号を話す時に、自動取引装置２から何らかの音を発生させることにより、取引許可者のプライバシ−を保護し、安全性を高めることができる。
【０１０２】
なお、上記第１の実施の形態、第２の実施の形態、第３の実施の形態においては、自動取引装置２の前に取引希望者が立つと、虹彩情報から自動的に口座あるいは略号が呼び出されていたが、従来取引時に使用されているＩＤカ−ドあるいは通帳を使用して、取引許可者の確認をして、取引を行うようにしてもよい。
【０１０３】
以下、ＩＤカ−ドあるいは通帳を使用して行う取引について説明する。
【０１０４】
ＩＤカ−ドあるいは通帳を使用して自動取引装置２で取引を行う場合の取引許可者か否かの確認を行う方法については、ＩＤカ−ドあるいは通帳に記憶された情報と取引希望者の虹彩情報と暗証番号とにより取引許可者か否かの判断をする方法と、ＩＤカ−ドあるいは通帳に記憶された情報と取引希望者の虹彩情報とにより取引許可者か否かの判断を行う方法がある。
【０１０５】
まず初めに、ＩＤカ−ドあるいは通帳に記憶された情報と取引希望者の虹彩情報と暗証番号とにより取引許可者か否かの判断をする方法について説明する。
【０１０６】
まず、取引許可者が取引を行う前に、予め取引許可者の虹彩を撮影して、その虹彩の映像から抽出される特徴パタ−ンを虹彩情報としてセンタ−端末を介して記憶部に登録しておく。なお、虹彩情報がセンタ−端末に送信されてくると、その虹彩情報と一致する口座を呼び出すことができるように、口座開設時に、口座の所有者の虹彩情報を口座と対応させて記憶しておく。同一の口座（ＩＤカ−ド、通帳）の利用者が複数居る場合には、それぞれの虹彩情報を登録することになる。
【０１０７】
なお、ここでは記憶部に虹彩情報の登録を行う方法で説明するが、ＩＣカ−ド、ＡＴＭファイル等のロ−カルな蓄積方法でもよい。
【０１０８】
次に上記構成における虹彩情報を利用した取引動作について説明する。ここでは、取引希望者（取引許可者、取引無許可者を含む）が出金取引をＩＤカ−ドを使用して行う場合について説明する。
【０１０９】
まず、自動取引装置２の前に立つ取引希望者の虹彩を映像撮影部１０で撮影し、その虹彩情報を抽出している間に、取引希望者が取引内容（ここでは「出金」）を選択し、ＩＤカ−ドをカ−ド処理装置３のカ−ド挿入排出口３ａに挿入し、「出金」取引を希望していることまた、暗証番号の入力を行う。
【０１１０】
次に主制御部は、取引希望者が予め登録された取引許可者であるか否かの判断処理のためのセンタ−端末への問い合わせ処理を行う。そのために、主制御部は、挿入されたＩＤカ−ドに記憶された情報と、入力された暗証番号と、取り込んだ虹彩情報とをインタ−フェ−ス部１７から通信回線を介してセンタ−端末に送信する。
【０１１１】
センタ−端末は、上記ＩＤカ−ド情報、暗証番号、虹彩情報とを受信すると、それらの情報と、記憶部に記憶されている顧客情報とを照合し、その照合結果（取引希望者が予め登録されている取引許可者であるか否かの判断）を通信回線を介してインタ−フェ−ス部１７から主制御部に送信する。主制御部が取引希望者が取引無許可者であると判断した場合には、取引処理を継続せず、そこで取引は中止となる。一方、取引許可者であることが認識されると、主制御部は取引処理を継続し、出金を行う。
【０１１２】
また、センタ−端末への問い合わせの他の方法として、主制御部からはＩＤカ−ドに記憶された情報と、入力された暗証番号だけをセンタ−端末に送信し、センタ−端末は受信した情報に応じて、記憶部に登録されている虹彩情報を含む顧客情報を主制御部に送信し、主制御部は受信した顧客情報と、取引許可者の虹彩情報と、取引希望者から得られた虹彩情報との照合結果から、取引希望者が予め登録されている取引許可者であるか否かの判断を行うようにしてもよい。
【０１１３】
以上説明したように、取引希望者が取引許可者であるか否かの判断時に虹彩情報に加え、暗証番号の照合も行うので、取引許可者であるか否かの判断を更に高精度に行うことができる。
【０１１４】
また、ＩＤカ−ドあるいは通帳に記憶された情報と取引希望者の虹彩情報と暗証番号とにより取引許可者か否かの判断をする他の方法として、登録された虹彩情報を記憶部ではなく、ＩＤカ−ド、通帳に記憶し、取引希望者が取引許可者であるか否かの判断は自動取引装置２で行う方法がある。
【０１１５】
詳しくは、取引許可者が取引を行う前に、予め取引許可者の虹彩を撮影して、その虹彩の映像から抽出される特徴パタ−ンを虹彩情報としてＩＤカ−ド及び通帳の磁気ストライプ、ＩＣ、バ−コ−ド、２次元バ−コ−ド等に記憶しておく。同一の口座（ＩＤカ−ド、通帳）の利用者が複数居る場合には、それぞれの虹彩情報を登録することになる。
【０１１６】
そして、ＩＤカ−ド、通帳に記憶された虹彩情報は、カ−ド処理部３あるいは通帳処理部４で読み取られ、主制御部に送信される。
【０１１７】
次に上記構成における虹彩情報を利用した取引動作について説明する。ここでは、取引希望者（取引許可者、取引無許可者を含む）が出金取引をＩＤカ−ドを使用して行う場合について説明する。
【０１１８】
上記と同様に、取引希望者の虹彩が取得され、取引希望者によりＩＤカ−ドと暗証番号との入力が行われると、主制御部が、取引希望者が予め登録された取引許可者であるか否かの判断処理のためのセンタ−端末への問い合わせ処理を行う。
【０１１９】
主制御部は、挿入されたＩＤカ−ドに記憶された情報と、入力された暗証番号とをインタ−フェ−ス部１７から通信回線を介してセンタ−端末に送信する。すると、センタ−端末は、上記ＩＤカ−ド情報と暗証番号と記憶部に記憶されている顧客情報とを照合し、その照合結果（ＩＤカ−ドの取引許可判断）を通信回線を介してインタ−フェ−ス部１７から主制御部に送信する。
【０１２０】
また、それと同時に、自動取引装置２側では、主制御部が撮影された取引希望者の虹彩情報とＩＤカ−ドに登録された虹彩情報とを照合し、取引希望者が取引許可者であるか否かの判断を行う。
【０１２１】
センタ−端末での照合結果及び虹彩情報の照合結果が正当であると確認されると、取引処理が継続され、出金が行われる。一方、主制御部が取引希望者が取引無許可者であると判断した場合には、取引処理を継続せず、そこで取引は中止となる。
【０１２２】
以上説明したように、虹彩情報の照合を、自動取引装置２内で行うので、従来のシステムの変更が自動取引装置２内だけで済む。また、施設内に設置された自動取引装置２のような、スタンドアロンシステムの自動取引装置２であっても、虹彩情報の照合が可能となる。
【０１２３】
更に、ＩＤカ−ドあるいは通帳に記憶された情報と取引希望者の虹彩情報とにより取引許可者か否かの判断をする方法について説明する。
【０１２４】
詳しくは、取引許可者が取引を行う前に、予め取引許可者の虹彩を撮影して、その虹彩の映像から抽出される特徴パタ−ンを虹彩情報としてセンタ−端末に登録しておく。あるいは、撮影された虹彩の特徴パタ−ンを、虹彩情報としてＩＤカ−ド及び通帳の磁気ストライプ、ＩＣ、バ−コ−ド、２次元バ−コ−ド等に記憶しておく。同一の口座（ＩＤカ−ド、通帳）の利用者が複数居る場合には、それぞれの虹彩情報を登録することになる。
【０１２５】
なお、上記ＩＤカ−ド、通帳に記憶された虹彩情報は、カ−ド処理部あるいは通帳処理部で読み取られ、主制御部に送信される。
【０１２６】
次に上記構成における虹彩情報を利用した取引動作について説明する。ここでは、取引希望者（取引許可者、取引無許可者を含む）が出金取引をＩＤカ−ドを使用して行う場合について説明する。
【０１２７】
上記と同様に、取引希望者の虹彩が取得され、取引希望者によりＩＤカ−ドの挿入が行われると、主制御部が、取引希望者が予め登録された取引許可者であるか否かの判断処理のためのセンタ−端末への問い合わせ処理を行う。
【０１２８】
主制御部は、挿入されたＩＤカ−ドに記憶された情報、虹彩情報とをインタ−フェ−ス部１７から通信回線を介してセンタ−端末に送信する。ＩＤカ−ド情報と虹彩情報とを受信すると、それらの情報と、記憶部に記憶されている顧客情報とを照合し、その照合結果（取引希望者が予め登録されている取引許可者であるか否かの判断）を通信回線を介してインタ−フェ−ス部１７から主制御部に送信する。
【０１２９】
また、センタ−端末への問い合わせの他の方法として、主制御部からはＩＤカ−ドに記憶された情報のみをセンタ−端末に送信し、センタ−端末は受信した情報に応じて、記憶部に登録されている虹彩情報を含む顧客情報を主制御部に送信し、主制御部は受信した顧客情報と、取引許可者の虹彩情報と、取引希望者から得られた虹彩情報との照合結果から、取引希望者が予め登録されている取引許可者であるか否かの判断を行うようにしてもよい。
【０１３０】
取引希望者の虹彩情報がＩＤカ−ド及び通帳の磁気ストライプ、ＩＣ、バ−コ−ド、２次元バ−コ−ド等に記憶されている場合及び出金取引を行う場合には、センタ−端末には、ＩＤカ−ド情報のみを送信し、それらの情報と、記憶部に記憶されている顧客情報とを照合し、その照合結果（ＩＤカ−ドの取引許可判断）を通信回線を介してインタ−フェ−ス部１７から主制御部に送信する。
【０１３１】
以上説明したように、暗証番号の入力の手間が省ける。また、取引を開始する前に、ＩＤカ−ドあるいは通帳を自動取引装置２に挿入する処理であっても、自動的に口座を表示部８に表示したり、音声入力を可能としてもよい。
【図面の簡単な説明】
【０１３２】
【図１】第１の実施の形態における表示部を示す説明図である。
【図２】第１の実施の形態における自動取引装置の制御系を示すブロック図である。
【図３】第１の実施の形態における自動取引装置を示す斜視図である。
【図４】第１の実施の形態における取引処理手順を示すフロ−チャ−トである。
【図５】第１の実施の形態における表示部を示す説明図である。
【図６】第１の実施の形態における表示部を示す説明図である。
【図７】第２の実施の形態における取引処理手順を示すフロ−チャ−トである。
【図８】第２の実施の形態における取引処理手順を示すフロ−チャ−トである。
【図９】第２の実施の形態における取引処理手順を示すフロ−チャ−トである。
【図１０】第２の実施の形態における取引処理手順を示すフロ−チャ−トである。
【図１１】第２の実施の形態における表示部を示す説明図である。
【図１２】第２の実施の形態における表示部を示す説明図である。
【図１３】第２の実施の形態における表示部を示す説明図である。
【図１４】第３の実施の形態におけるユ−ザ−辞書を示す説明図である。
【図１５】第３の実施の形態における自動取引装置の制御系を示すブロック図である。
【図１６】第３の実施の形態における自動取引装置を示す斜視図である。
【図１７】第３の実施の形態における表示部を示す説明図である。
【図１８】第３の実施の形態における取引処理手順を示すフロ−チャ−トである。
【図１９】第３の実施の形態における取引処理手順を示すフロ−チャ−トである。
【図２０】第３の実施の形態における取引処理手順を示すフロ−チャ−トである。
【図２１】第３の実施の形態における取引処理手順を示すフロ−チャ−トである。
【図２２】第３の実施の形態における表示部を示す説明図である。
【符号の説明】
【０１３３】
２ 自動取引装置
８ 表示部
９ 音声案内部
１０ 映像撮影部
１１ 主制御部
１８ 接近検知器
２０ センタ−端末
２１ 記憶部
２４ 集音部
２５ ユ−ザ−辞書
２６ 主制御部
２７ センタ−端末
２８ 記憶部
【図１】
2006155667.tif 000003
【図２】
2006155667.tif 000004
【図３】
2006155667.tif 000005
【図４】
2006155667.tif 000006
【図５】
2006155667.tif 000007
【図６】
2006155667.tif 000008
【図７】
2006155667.tif 000009
【図８】
2006155667.tif 000010
【図９】
2006155667.tif 000011
【図１０】
2006155667.tif 000012
【図１１】
2006155667.tif 000013
【図１２】
2006155667.tif 000014
【図１３】
2006155667.tif 000015
【図１４】
2006155667.tif 000016
【図１５】
2006155667.tif 000017
【図１６】
2006155667.tif 000018
【図１７】
2006155667.tif 000019
【図１８】
2006155667.tif 000020
【図１９】
2006155667.tif 000021
【図２０】
2006155667.tif 000022
【図２１】
2006155667.tif 000023
【図２２】
2006155667.tif 000024